(57)【要約】【課題】照明器具取付具において、角型引掛シーリングボディへの取付時に、簡単な作業でもって、該シーリングボディに係止段部を備え、低コスト化を図る。【解決手段】照明器具取付具１は、角型引掛シーリングボディ２の外周部に嵌合され、天井に固定されるアダプタ本体１１を備える。このアダプタ本体１１は、該シーリングボディ２が嵌合される嵌合孔１１１と、外周面１１ａに設けられ、照明器具の係止部が係止される係止段部１１２と、を有し、その高さは該シーリングボディ２の高さと略同等である。上記構成によれば、取付時に、該シーリングボディ２をアダプタ本体１１の嵌合孔１１１に嵌め込めばよいので、電気配線のやり直し等の作業が不要である。このため、簡単な作業でもって、該シーリングボディに係止段部を備えることができる。また、構造が簡単であるため、製造工程の簡単化を図ることができ、低コスト化を図ることができる。【選択図】図１
2008034106.tif 000002
【特許請求の範囲】
【請求項１】
天井に設置された角型引掛シーリングボディに取り付けられる照明器具取付具において、
前記角型引掛シーリングボディの外周部に嵌合され、天井に固定されるアダプタ本体を備え、
前記アダプタ本体は、
前記角型引掛シーリングボディが嵌合される嵌合孔と、
外周面に設けられ、照明器具の係止手段が係止される係止段部と、を有し、
前記角型引掛シーリングボディの高さと略同等の高さを有することを特徴とする照明器具取付具。
【請求項２】
前記角型引掛シーリングボディは、略直方体状であり、
前記アダプタ本体は、前記嵌合孔の平面視形状が前記角型引掛シーリングボディの平面視形状と同形であり、平面視で前記嵌合孔の長手方向の中心軸を境に略２分割されていることを特徴とする請求項１に記載の照明器具取付具。
【請求項３】
前記アダプタ本体の上面と略同じ大きさを有し、該アダプタ本体の略２分割された境に対応する位置で略２分割され、且つ、前記角型引掛シーリングボディを天井に固定するための固定具を逃がす孔を有して成る板状部材を備え、
前記板状部材は、前記略２分割されたアダプタ本体の上面にそれぞれ固定され、天井に装着時に一部が天井と該シーリングボディとの間に差し込まれることを特徴する請求項２に記載の照明器具取付具。
【請求項４】
請求項１乃至請求項３のいずれか一項に記載の照明器具取付具と、
前記照明器具取付具のアダプタ本体が有する係止段部に係止される係止手段を備えた照明器具と、を備えたことを特徴とする照明器具装置。
【発明の詳細な説明】
【技術分野】
【０００１】
本発明は、角型引掛シーリングボディに取り付けられる照明器具取付具及びこれを備えた照明器具装置に関する。
【背景技術】
【０００２】
従来より、鍔を有しない引掛シーリングボディにも、鍔付きの引掛シーリングボディにも取り付けることができる天井直付け照明器具取付装置が知られている（例えば、特許文献１参照）。この装置は、照明器具本体に取り付けられるアダプタ本体と、天井に固着された引掛シーリンボディの下面に着脱自在に係止されるプラグとを備える。アダプタ本体には、プラグが嵌入される孔が設けられ、この孔の内周面に複数の係止爪が出没自在に、且つ突出方向へ付勢して設けられている。引掛プラグの外周には、係止爪と係合可能な鍔が形成され、係止爪の内端部が上から押圧された時に、係止爪はアダプタ本体内へ没入するように構成されている。
【０００３】
上記装置が取り付けられる引掛シーリングボディに鍔がない場合、例えば該シーリングボディが鍔のない角型引掛シーリングボディである場合、プラグの鍔に、アダプタ本体の係止爪が係止される。一方、上記装置が取り付けられるシーリングボディに鍔がある場合、例えば該シーリングボディが鍔のない丸型引掛シーリングボディである場合、該シーリングボディの鍔に、アダプタ本体の係止爪が係止される。
【特許文献１】特開２００４−４７１５０号公報
【発明の開示】
【発明が解決しようとする課題】
【０００４】
しかしながら、特許文献１に記載の技術によれば、既に天井に固定されており、照明器具が係止される鍔等の係止段部のない角型引掛シーリングボディに、係止段部を備えるためには、鍔のある引掛シーリングボディと取り替える必要があった。このため、取替え時に、電気配線のやり直し等の作業が必要となり、作業が複雑であった。
【０００５】
本発明は、上記従来の問題を解決するためになされたものであり、角型引掛シーリングボディが天井に既設されているとき、簡単な作業でもって、該シーリングボディに係止段部を備えることができると共に、低コスト化を図ることができる照明器具取付具及びこれを備えた照明器具装置を提供することを目的とする。
【課題を解決するための手段】
【０００６】
上記目的を達成するために請求項１の発明は、天井に設置された角型引掛シーリングボディに取り付けられる照明器具取付具において、前記角型引掛シーリングボディの外周部に嵌合され、天井に固定されるアダプタ本体を備え、前記アダプタ本体は、前記角型引掛シーリングボディが嵌合される嵌合孔と、外周面に設けられ、照明器具の係止手段が係止される係止段部と、を有し、前記角型引掛シーリングボディの高さと略同等の高さを有するものである。
【０００７】
請求項２の発明は、請求項１に記載の照明器具取付具において、前記角型引掛シーリングボディは、略直方体状であり、前記アダプタ本体は、前記嵌合孔の平面視形状が前記角型引掛シーリングボディの平面視形状と同形であり、平面視で前記嵌合孔の長手方向の中心軸を境に略２分割されているものである。
【０００８】
請求項３の発明は、請求項２に記載の照明器具取付具において、前記アダプタ本体の上面と略同じ大きさを有し、該アダプタ本体の略２分割された境に対応する位置で略２分割され、且つ、前記角型引掛シーリングボディを天井に固定するための固定具を逃がす孔を有して成る板状部材を備え、前記板状部材は、前記略２分割されたアダプタ本体の上面にそれぞれ固定され、天井に装着時に一部が天井と該シーリングボディとの間に差し込まれるものである。
【０００９】
請求項４の発明は、請求項１乃至請求項３のいずれか一項に記載の照明器具取付具と、前記照明器具取付具のアダプタ本体が有する係止段部に係止される係止手段を備えた照明器具と、を備えたものである。
【発明の効果】
【００１０】
請求項１の発明によれば、角型引掛シーリングボディへの取付時に、電気配線のやり直し等の作業が不要であるため、簡単な作業でもって、該シーリングボディに係止段部を備えることができる。また、構造が簡単であるため、製造工程の簡単化を図ることができ、低コスト化を図ることができる。
【００１１】
請求項２の発明によれば、角型引掛シーリングボディの大きさにばらつきがあるときでも、該シーリングボディへの取付が可能になる。
【００１２】
請求項３の発明によれば、板状部材を差し込むことにより天井に装着することができるので、取付をより簡単に行なうことができる。
【００１３】
請求項４の発明によれば、請求項１乃至請求項３のいずれか一項に記載の照明器具取付具を用いることにより、取付の簡単化と、低コスト化とを図ることができる。
【発明を実施するための最良の形態】
【００１４】
以下、本発明の第１の実施形態に係る照明器具取付具及びこれを備えた照明器具装置について図１乃至図５を参照して説明する。図１及び図２（ａ）（ｂ）は、本実施形態に係る照明器具取付具（以下、取付具と略す）１の構成、配置及び取付時の状態を示す。取付具１は、天井Ｃに設置された角型引掛シーリングボディ（以下、シーリングボディと略す）２に、下方から取り付けられるものである。このシーリングボディ２は、例えば略直方体状である。
【００１５】
取付具１は、シーリングボディ２の外周部２ａに嵌合され、天井Ｃに固定されるアダプタ本体１１を備える。このアダプタ本体１１は、シーリングボディ２が嵌合される嵌合孔１１１と、外周面１１ａに設けられる係止段部１１２と、下方からねじ５が挿入されるねじ孔１１３と、を有する。このアダプタ本体１１は例えば樹脂から成り、平面視形状は例えば円形であり、その上面と下面は平面である。また、ねじ５は例えば木ねじから成る。なお、アダプタ本体１１の平面視形状は上記に限定されない。
【００１６】
嵌合孔１１１は、アダプタ本体１１の上面から下面にかけて貫通して設けられている。また、嵌合孔１１１の形状は、シーリングボディ２の外周部２ａの形状に対応しており、嵌合孔の１１１の平面視形状は、シーリングボディ２の平面視形状と同形である。
【００１７】
係止段部１１２は、外周面１１ａの例えば最下部に全周に亘って設けられており、下面側にテーパ面を有する。係止段部１１２には、照明器具の係止部（不図示）が係止される。このため、照明器具を天井Ｃに取り付けるとき、シーリングボディ２と取付具１の２部材により照明器具を天井Ｃに固定することができる。従って、照明器具が重い場合に、照明器具が、シーリングボディ２から、又はシーリングボディ２と共に天井Ｃから外れて落下するのを防ぐことができる。また、重い照明器具に対応した、社団法人日本配線器具工業会規格ＪＷＤＳ００１５に規定の高荷重・耐熱形引掛シーリングボディが知られているが、一般家庭においては、該シーリングボディではなく、角型引掛シーリングボディが普及している。このため、本実施形態による取付具１によれば、角型引掛シーリングボディを取り外し、電気配線をやり直して上記高荷重・耐熱形引掛シーリングボディを設置しなくても、既設の角型引掛シーリングボディに嵌めて天井Ｃに固定するだけでよいので、取付作業の簡単化を図ることができる。
【００１８】
ねじ孔１１３は、アダプタ本体１１の上面から下面にかけて貫通して、例えば２個設けられている。上部と下部とで径が異なり、上部の径が下部のそれより小さい。下方から挿入されたねじ５は、ねじ孔１１３の径が変化する部位で、上方への進行が止められる。このねじ５により、アダプタ本体１１は天井Ｃに固定される。なお、ねじ孔１１３の数は上記に限定されない。
【００１９】
アダプタ本体１１の高さは、シーリングボディ２の高さと略同等の高さである。従って、天井Ｃに設置されたシーリングボディ２が、アダプタ本体１１の嵌合孔１１１に嵌合され、アダプタ本体１１の上面が天井Ｃと当接するとき、シーリングボディ２の下面とアダプタ本体１１の下面とは、１面の略平らな面を形成する。このような構成により、照明器具を取付具１に取り付けるとき、天井Ｃと照明器具との距離が短くなる。このため、部屋を開放感のあるものとすることができる。
【００２０】
上記のように、取付具１をシーリングボディ２に取り付けるとき、シーリングボディ２の取り外しや電気配線のやり直し等の作業は不要である。取付具１の嵌合孔１１１にシーリングボディ２を嵌め込み、ねじ５を締めるだけで、取付具１をシーリングボディ２に取り付けて天井Ｃに固定できる。このため、取付作業の簡単化を測れる。従って、簡単な作業でもって、シーリングボディ２に係止段部を備えることができる。さらに、取付具１の構造は簡単なものであるため、製造工程の簡単化を図ることができ、低コスト化を図ることができる。
【００２１】
図３は、アダプタ本体１１へ照明器具の係止部３１（係止手段）が係止されるときの様子を示す。この照明器具の係止部３１は、ホルダ３１１と、このホルダ３１１内に納められた係止片３１２と、この係止片３１２を付勢するコイルばね３１３と、を有する。ホルダ３１１は、アダプタ本体１１と平面視で略同等の大きさの嵌合開口３１１ａを有する円環状である。このホルダ３１１には、内側に開口３１１ｂが例えば２個設けられており、それぞれの開口３１１ｂから係止片３１２の先端の係止爪３１２ａがコイルばね３１３により突出付勢されている。係止爪３１２ａは上面側にテーパ面を有しており、シーリングボディ２への係止を容易に行なうことができる。
【００２２】
アダプタ本体１１が嵌合開口３１１ａに嵌合されるように、照明器具のホルダ３１１を押し上げると、係止爪３１２ａのテーパ面が、取付具１の係止段部１１２のテーパ面に当接する。この当接により、係止爪３１２ａが、取付具１の係止段部１１２をスライドし、伸びようとするコイルばね３１３の力に反して外方に移動する。引き続きホルダ３１１を押し上げると、係止爪３１２ａは取付具１の係止段部１１２を乗り越え、コイルばね３１３の弾力により、アダプタ本体１１の係止段部１１２の上方に移動し、係止段部１１２に係止される。上記の通り、取付具１の係止段部１１２は、外周面１１ａの全周に亘って設けられているので、係止爪３１２ａの係止位置がずれることにより照明器具が落下することを防止できる。
【００２３】
図４は、取付具１を備えた照明器具装置の構成を示す。この照明器具装置４は、アダプタ本体１１を備える取付具１と、照明器具３とを含む。この照明器具３は、アダプタ本体１１の係止段部１１２に係止される係止部３１と、係止部３１に係止される器具本体３２と、器具本体３２に吊設されるランプ３３と、ランプ３３を調光点灯させる調光点灯回路（不図示）と、この調光点灯回路に電力を供給するためシーリングボディ２に引掛けられて吊設されるプラグ（不図示）と、を備え、取付具１及びシーリングボディ２により天井Ｃに固定される。器具本体３２に吊設されるランプ３３の数量は、例えば２本であり、その形状は、例えば環状である。上記の通り、取付具１は、シーリングボディ２に容易に取り付けることができ、コストの低減を図ることができるので、照明器具装置４の取付具として、この取付具１を用いることにより、照明器具装置４の天井Ｃへの取付を簡単に行なうことができ、低コスト化を図ることができる。
【００２４】
次に、アダプタ本体１１の変形例を説明する。図５は、本変形例に係るアダプタ本体１１の構成を示す。このアダプタ本体１１は、図２（ｂ）に示される第１の実施形態の構成と比較して、係止段部１１２に加えて、外周面１１ａの最上部に全周に亘って段部１１４を有しており、ねじ孔１１３がこの段部１１４に設けられている点で異なる。アダプタ本体１１の上面は、段部１１４の上面を含んで平面を成し、段部１１４は、アダプタ本体１１をシーリングボディ２に取り付けるとき、上面で天井Ｃと当接する。この段部１１４は、上面から下面に貫通して設けられたねじ孔１１３を有し、ねじ５が下方より挿入される。このねじ５により、段部１１４を含むアダプタ本体は、天井Ｃに固定される。なお、段部１１４は、下面側にテーパ面を有していてもよい。
【００２５】
次に、本発明の第２の実施形態に係る取付具１について図６乃至図８を参照して説明する。図６及び図７は、第２の実施形態に係る取付具１の構成と、取付具１をシーリングボディ２に取り付けたときの状態とを示す。第２の実施形態に係る取付具１は、第１の実施形態の構成と比較して、アダプタ本体１１の上方に配置された薄板１２を備え、アダプタ本体１１及び薄板１２は略２分割されている点で異なる。
【００２６】
アダプタ本体１１は、平面視で嵌合孔１１１の長手方向の中心軸Ｌ（一点破線で示す）を境に略２分割されている。この中心軸Ｌは、短手方向の略中間部を通り、短手方向に直交する長手方向の中心線である。アダプタ本体１１は、この中心線を含む垂直面で分断されている。このため、シーリングボディ２の大きさにばらつきがあるときでも、特に、短手方向の大きさにばらつきがあるときでも、そのばらつきに対応し、取付具１を、略２分割されたアダプタ本体１１の間に隙間がある状態で、シーリングボディ２に取付けて固定することができる。
【００２７】
薄板１２は、例えば金属板又はアダプタ本体１１と同一の材料から成り、アダプタ本体１１の上面と略同じ大きさを有する。この薄板１２には、ねじ孔１２１が設けられており、上方からこのねじ孔１２１にねじ６が差し込まれている。このねじ６により、薄板１２はアダプタ本体１１の上面に固定されている。また、薄板１２は、アダプタ本体１１が略２分割された境に対応する位置で略２分割されており、略２分割されたアダプタ本体１１の上面にそれぞれ固定される（板状部材）。分割されたそれぞれの薄板１２には、上記のねじ孔１２１が例えば１個ずつ設けられている。なお、薄板１２のアダプタ本体１１への固定は、ねじ６に限定されず、リベット等により行なわれても構わない。
【００２８】
さらに、薄板１２は、シーリングボディ２を天井Ｃに固定するとき、天井Ｃとシーリングボディ２との間に位置し、シーリングボディ２を天井Ｃに固定するためのねじ７（固定具）を逃がす逃げ孔１２２を有する。このシーリングボディ２は、上面から下面に貫通して設けられたねじ孔２１を例えば２個有する。これらのねじ孔２１のそれぞれにはねじ７が下方から挿入される。このねじ７は、シーリングボディ２から上方に突き出て、シーリングボディ２を天井Ｃに固定する。突き出たねじ７を逃がすため、薄板１２には上記逃げ孔１２２が設けられている。逃げ孔１２２は、略２分割された薄板１２のそれぞれに設けられた半円状又はＵ字状の切欠部１２２ａが２個足し合わされて成る。上記のような逃げ孔１２２の位置は、シーリングボディ２のねじ孔２１の上方に位置しており、その個数は、シーリングボディ２のねじ孔２１のそれと同じである。
【００２９】
図８は、取付具１のシーリングボディ２への取付の様子を示す。まず、天井Ｃに固定されているシーリングボディ２のねじ７が緩められ、シーリングボディ２と天井Ｃとの間に隙間が設けられる。その隙間に、略２分割されている薄板１２の一部が図中左右から差し込まれる。これらが当接するまで差し込まれる。略２分割されている薄板１２が当接したとき、それぞれの切欠部１２２ａが逃げ孔１２２を形成する。シーリングボディ２のねじ７が再度締められる。このねじ７締め時に、ねじ７は逃げ孔１２２を貫通するので、薄板１２に当たらない。このようにして、取付具１は天井Ｃに装着される。
【００３０】
上記のように、シーリングボディ２を固定するためのねじ７を緩め、薄板１２を差し込み、再度ねじ７を締めるだけで、取付具１を天井Ｃに装着することができる。このため、取付具１における、シーリングボディ２への取付をより簡単に行なえる。
【００３１】
本発明は、上記のような実施形態の構成に限定されるものでなく、使用目的に応じ、様々な変形が可能である。例えば、薄板１２は、アダプタ本体１１の上面と略同じ大きさではなく、それより大きくても構わない。また、薄板１２は、アダプタ本体１１と別に設けられるのではなく、アダプタ本体１１と一体成型されていてもよい。また、薄板１２の差込をより容易に行なえるようにするため、薄板１２の差込側の下面にテーパ面が設けられていても構わない。また、照明器具装置４は、第１の実施形態に係る取付具１に限定されるのではなく、第２の実施形態に係る取付具１を備えていてもよい。
【図面の簡単な説明】
【００３２】
【図１】本発明の第１の実施形態に係る照明器具取付具の構成、及び該取付具と角型引掛シーリングボディの配置を示す斜視図。
【図２】（ａ）は上記取付具の上記シーリングボディへの取付時の状態を示す斜視図、（ｂ）は（ａ）のＡ−Ａ’線断面図。
【図３】上記取付具に照明器具の係止部が係止されるときの様子を示す断面図。
【図４】上記取付具を備えた照明器具装置の断面構成図。
【図５】上記取付具の変形例を示す断面構成図。
【図６】本発明の第２の実施形態に係る照明器具取付具の構成と、及び該取付具と上記シーリングボディの配置を示す斜視図。
【図７】上記取付具の上記シーリングボディへの取付時の状態を示す斜視図。
【図８】上記取付具の構成及び上記シーリングボディへの取付の様子を示す図７のＢ−Ｂ’線断面図。
【符号の説明】
【００３３】
１  照明器具取付具
１１  アダプタ本体
１１ａ  外周面
１１１  嵌合孔
１１２  係止段部
１１３  ねじ孔
１２  薄板（板状部材）
１２２  逃げ孔（孔）
２  角型引掛シーリングボディ
２１  ねじ孔
３  照明器具
３１  係止部（係止手段）
３１１  ホルダ
３１２  係止片
４  照明器具装置
７  ねじ（固定具）
【図１】
2008034106.tif 000003
【図２】
2008034106.tif 000004
【図３】
2008034106.tif 000005
【図４】
2008034106.tif 000006
【図５】
2008034106.tif 000007
【図６】
2008034106.tif 000008
【図７】
2008034106.tif 000009
【図８】
2008034106.tif 000010